(57)【要約】【課題】  外部の情報処理装置を遠隔操作することが可能な通信端末装置を実現する。【解決手段】  本発明の通信端末装置は、所定の情報処理を行う各機能実行部１７に加え、外部の情報処理装置との間で無線通信を行う無線通信部１４と、ユーザからの指示入力に応じた第１指示信号を生成する操作部１２と、該第１指示信号の種類に応じて、上記外部の情報処理装置の動作を指示する第２指示信号を生成し、上記無線通信部１４を介して該第２指示信号を該外部の情報処理装置に送信する遠隔操作指示信号生成部１６と、上記生成された第１指示信号を、上記情報処理手段が動作している場合には該情報処理手段に伝送し、上記遠隔操作指示信号生成部１６が動作している場合には該遠隔操作指示信号生成部１６に伝送する機能切替部１５とを備えているので、外部の情報処理装置を遠隔操作することが可能となる。【選択図】  図１
2006338406.tif 000002
【特許請求の範囲】
【請求項１】
所定の情報処理を行う情報処理手段と、
外部の情報処理装置との間で無線通信を行う無線通信手段と、
ユーザからの指示入力を受け付け、該指示入力に応じた第１指示信号を生成する操作入力手段と、
上記第１指示信号が入力されると、該第１指示信号の指示内容に応じて、上記外部の情報処理装置の動作を指示する第２指示信号を生成し、上記無線通信手段を介して該第２指示信号を該外部の情報処理装置に送信する第２指示信号生成手段と、
上記操作入力手段によって生成された第１指示信号を、上記情報処理手段が動作している場合に該情報処理手段に伝送するとともに、上記第２指示信号生成手段が動作している場合に該第２指示信号生成手段に伝送する機能切替手段とを備えていることを特徴とする通信端末装置。
【請求項２】
さらに、上記第２指示信号の指示内容を示す第２指示信号情報を、上記第１指示信号の指示内容に対応付けて格納する指示信号格納手段を備え、
上記第２信号生成手段は、上記指示信号格納手段を参照し、入力された第１指示信号の指示内容に対応付けられた上記第２指示信号情報に基づき、第２指示信号を生成することを特徴とする、請求項１に記載の通信端末装置。
【請求項３】
さらに、上記第１指示信号により指示された動作の実行状況をユーザに提示するための表示手段を備え、
上記第２指示信号生成手段は、上記操作入力手段と上記外部の情報処理装置の動作との対応付けの情報を上記実行状況として上記表示手段に出力することを特徴とする、請求項１または２に記載の通信端末装置。
【請求項４】
上記第２指示信号の指示内容として、上記外部の情報処理装置が有する、ポインティングに用いられるシンボル画像の表示制御機能に対する指示内容が含まれていることを特徴とする、請求項１に記載の通信端末装置。
【請求項５】
上記第２指示信号の指示内容として、上記シンボル画像の表示位置を制御する指示内容が含まれていることを特徴とする、請求項４に記載の通信端末装置。
【請求項６】
上記第２指示信号の指示内容として、上記シンボル画像の形状を制御する指示内容が含まれていることを特徴とする、請求項４に記載の通信端末装置。
【請求項７】
上記第２指示信号の指示内容として、上記外部の情報処理装置が有する、１つまたは複数のページからなるデータファイルのページ画像表示制御機能に対する指示内容が含まれていることを特徴とする、請求項１に記載の通信端末装置。
【請求項８】
上記第２指示信号の指示内容として、上記データファイルの表示ページを制御する指示内容が含まれていることを特徴とする、請求項７に記載の通信端末装置。
【請求項９】
請求項１から８のいずれか１項に記載の通信端末装置との間で無線通信を行う無線通信手段と、
上記無線通信手段により受信された信号の内容を解析する信号解析手段と、
上記第２指示信号の入力に応じて動作を実行する第２機能実行手段とを備え、
上記信号解析手段は、上記無線通信手段により受信された信号が、上記第２指示信号であると解析した場合に、該第２指示信号を上記第２機能実行手段に伝送することを特徴とする情報処理装置。
【請求項１０】
上記第２機能実行手段が映像の表示を制御する表示制御手段であり、
さらに、上記表示制御手段から出力される映像信号を外部の映像表示装置へ送信する送信手段を備えていることを特徴とする、請求項９に記載の情報処理装置。
【請求項１１】
請求項１から８のいずれか１項に記載の通信端末装置と、
上記通信端末装置と無線による通信を行う請求項９または１０に記載の情報処理装置とを含むことを特徴とする通信システム。
【請求項１２】
請求項１から８のいずれか１項に記載の通信端末装置と、
上記通信端末装置と無線による通信を行う請求項１０に記載の情報処理装置と、
上記情報処理装置から映像信号を受信し、映像の表示を行う映像表示装置とを含むことを特徴とする映像表示システム。
【請求項１３】
外部の通信端末装置との間で無線通信を行う通信端末装置の通信端末制御方法であって、
ユーザからの指示入力を受け付け、該指示入力に応じた第１指示信号を生成する第１指示信号生成ステップと、
上記第１指示信号が入力されると、該第１指示信号に従って所定の情報処理を行う情報処理ステップと、
上記第１指示信号が入力されると、該第１指示信号の種類に応じて、上記外部の通信端末装置の動作を指示する第２指示信号を生成し、無線通信によって該第２指示信号を該外部の通信端末装置に送信する第２指示信号生成ステップと、
上記第１指示信号生成ステップにおいて生成された第１指示信号を、上記情報処理ステップが実行されている場合に該情報処理ステップへの入力として伝送するとともに、上記第２指示信号生成ステップが行われている場合に該第２指示信号生成ステップへの入力として伝送する機能切替ステップとを有していることを特徴とする通信端末制御方法。
【請求項１４】
請求項１から８のいずれか１項に記載の通信端末装置との間で無線通信を行う情報処理装置の情報処理方法であって、
上記通信端末装置から受信された信号の内容を解析する信号解析ステップと、
上記第２指示信号の入力に応じて動作を実行する第２機能実行ステップとを有し、
上記信号解析ステップにおいて、上記通信端末装置から受信された信号が、上記第２指示信号であると解析した場合に、該第２指示信号が上記第２機能実行ステップへの入力として伝送されることを特徴とする情報処理方法。
【請求項１５】
請求項１から８のいずれか１項に記載の通信端末装置を動作させる通信端末制御プログラムであって、コンピュータを上記の各手段として機能させるための通信端末制御プログラム。
【請求項１６】
請求項９または１０に記載の情報処理装置を動作させる情報処理プログラムであって、コンピュータを上記の各手段として機能させるための情報処理プログラム。
【請求項１７】
請求項１５に記載の通信端末制御プログラムを記録したコンピュータ読み取り可能な記録媒体。
【請求項１８】
請求項１６に記載の情報処理プログラムを記録したコンピュータ読み取り可能な記録媒体。
【発明の詳細な説明】
【技術分野】
【０００１】
本発明は、Bluetooth（登録商標）などの無線規格により通信することが可能な通信端末装置、および、それを備えた、パーソナルコンピュータ（ＰＣ）などの情報処理装置を通信するための通信システムに関する。
【背景技術】
【０００２】
近年、Bluetoothなどに代表される無線規格の普及により、ＰＣや携帯電話などの通信端末装置同士の間で無線による通信を行うことが可能となっている。このような無線通信技術によって、各通信端末装置をケーブルで接続するというような煩わしいセッティングを不要とすることができる。よって、例えば、ノートパソコンなどに無線通信機能を搭載させて無線ＬＡＮの設定を行うことのみによって、従来必要であったＬＡＮ配線の敷設などを行うことなく、容易にＬＡＮを構築することが可能となる。また、各通信端末装置間で各種データを送受信する場合にも、接続配線を用意するなどの手間をかけることなく、無線通信によって簡便に実行することが可能となる。
【０００３】
一方、無線通信機能が搭載される側の通信端末装置についても、様々な機能を有するものが普及している。上述のノートパソコンなどは、例えば、液晶プロジェクタなどに接続し、そのままその画面を拡大投射して、プレゼンテーションを行うことなどが可能である。（例えば、特許文献１、２参照）。また、携帯性の優れた通信端末装置の例をもう1つ挙げれば、携帯電話がある。その普及率の上昇は、周知の通り目覚しい。
【特許文献１】特開平１０−１４５７９６号公報（１９９８年５月２９日公開）
【特許文献２】特開２００５−３３７６３公報（２００５年２月３日公開）
【発明の開示】
【発明が解決しようとする課題】
【０００４】
上述のように、無線通信技術を上述の通信端末装置各々に適用することにより、それらのデータをやり取りすることが可能となる。この技術は例えば、プレゼンテーションを行う場合などに適用することが考えられる。
【０００５】
しかしながら、上述のノートパソコンを使って行うような従来のプレゼンテーションにおいて、プレゼンテーションを行う者（プレゼンター）にとっては、上記ノートパソコンを操作する際に以下のような問題点がある。
【０００６】
具体的には、プレゼンターは、視聴者に対し説明を行う時、プレゼンテーションデータのソース機器（この場合、ノートパソコン）が設置された場所から、通常使用する時よりも離れた位置にいることがある。
【０００７】
表示画面上のある箇所に注目してもらいたい時には、マウスやスライディングパッドなどによりマウスポインタを動かす。しかし、その度に、ノートパソコン本体に近づいて操作しなければならないといった煩わしさがある。
【０００８】
レーザポインタを用いれば、このような煩わしさを解消することができるが、レーザポインタを用意し忘れることも考えられる。
【０００９】
また、レーザポインタでは、画面の切り替えなどはできないため、マウスポインタを動かす時と同様に、画面に表示させる資料を変更する際にも、その度に操作できる位置に移動しなければならないことは、プレゼンターの負担になる。
【００１０】
本発明は、上記の問題点に鑑みてなされたものであり、その目的は、本来の利用目的と機能とを有する通信端末装置であって、ノートパソコンなどの外部の情報処理装置を遠隔操作することが可能な通信端末装置、情報処理装置、通信システム、映像表示システム、通信端末制御方法、情報処理方法、通信端末制御プログラム、情報処理プログラムおよび記録媒体を提供することにある。
【課題を解決するための手段】
【００１１】
本発明に係る通信端末装置は、上記の課題を解決するために、所定の情報処理を行う情報処理手段と、外部の情報処理装置との間で無線通信を行う無線通信手段と、ユーザからの指示入力を受け付け、該指示入力に応じた第１指示信号を生成する操作入力手段と、上記第１指示信号が入力されると、該第１指示信号の指示内容に応じて、上記外部の情報処理装置の動作を指示する第２指示信号を生成し、上記無線通信手段を介して該第２指示信号を該外部の情報処理装置に送信する第２指示信号生成手段と、上記操作入力手段によって生成された第１指示信号を、上記情報処理手段が動作している場合に該情報処理手段に伝送するとともに、上記第２指示信号生成手段が動作している場合に該第２指示信号生成手段に伝送する機能切替手段とを備えていることを特徴としている。
【００１２】
上記構成によれば、装置本体に対して入力された第１指示信号は、機能切替手段により受信され、上記情報処理手段が動作していれば、該情報処理手段へ、上記第２指示信号生成手段が動作していれば、該第２指示信号生成手段へと供給先が切り替えられて供給される。次に、上記第１指示信号が、上記機能切替手段により、第２指示信号生成手段に供給された場合には、上記第２指示信号生成手段は、上記第１指示信号から、その指示内容に応じて、外部の情報処理装置の動作を指示するための第２指示信号を生成する。最後に、生成された上記第２指示信号は、無線通信手段を介して、外部の情報処理装置へ送信される。
【００１３】
これにより、本来の機能を実行するための通信端末装置を、外部の情報処理を操作するための指示信号を送信するために用いることが可能となる。すなわち、上記通信端末装置は、該装置本体と無線通信することが可能な外部の情報処理装置に対して、動作を実行させるために指示信号を送信して、遠隔操作を行うことが可能となる。
【００１４】
結果として、本来の利用目的と機能とを有する通信端末装置を、ノートパソコンなどの外部の情報処理装置を無線で遠隔操作することが可能なリモコンとして用いることができる。
【００１５】
本発明に係る通信端末装置は、さらに、上記第２指示信号の指示内容を示す第２指示信号情報を、上記第１指示信号の指示内容に対応付けて格納する指示信号格納手段を備え、上記第２信号生成手段は、上記指示信号格納手段を参照し、入力された第１指示信号の指示内容に対応付けられた上記第２指示信号情報に基づき、第２指示信号を生成してもよい。
【００１６】
この場合、上記指示信号格納手段には、上記外部の情報処理装置の動作を指示するための第２指示信号の指示内容が、上記第１指示信号の指示内容に関連付けられて格納されているので、上記第２指示信号生成手段は、上記指示信号格納手段を参照するだけで、第２指示信号を生成することができる。
【００１７】
従って、遠隔操作するべき外部の情報処理装置が多数あったり、あるいは、遠隔操作により指示するべき動作の種類が多数あったりして、第２指示信号を生成するのに必要な情報量が多い場合でも、第１指示信号より第２指示信号生成することが可能な通信端末装置を実現することができる。
【００１８】
本発明に係る通信端末装置は、さらに、上記第１指示信号により指示された動作の実行状況をユーザに提示するための表示手段を備え、上記第２指示信号生成手段は、上記操作入力手段と上記外部の情報処理装置の動作との対応付けの情報を上記実行状況として上記表示手段に出力することが好ましい。
【００１９】
これにより、ユーザは、上記操作入力手段をどのように用いれば、外部の情報処理装置のどの動作を実行させることができるのかを上記表示手段を介して視認することができる。
【００２０】
なお、上記第２指示信号の指示内容として、上記外部の情報処理装置の、ポインティングに用いられるシンボル画像の表示制御機能に対する指示内容が含まれていてもよい。この場合、上記通信端末装置から、外部の情報処理装置のシンボル画像を制御することが可能となる。
【００２１】
また、上記第２指示信号の指示内容として、上記シンボル画像の表示位置を制御する指示内容が含まれていてもよい。これにより、上記通信端末装置から、外部の情報処理装置の、シンボル画像の提示位置を変更することが可能となる。
【００２２】
さらに、上記第２指示信号の指示内容として、上記シンボル画像の形状を制御する指示内容が含まれていてもよい。これにより上記通信端末装置から、外部の情報処理装置のシンボル画像の形を変更することが可能となる。
【００２３】
あるいは、上記第２指示信号の指示内容として、上記外部の通信端末装置の、１つまたは複数のページからなるデータファイルのページ画像表示制御機能に対する指示内容が含まれていてもよい。この場合、上記通信端末装置から、外部の情報処理装置の、データファイルを提示させることが可能となる。
【００２４】
上記第２指示信号の指示内容として、上記データファイルの表示ページを制御する指示内容が含まれていてもよい。これにより、上記通信端末装置から、外部の情報処理装置のファイルにおいて、任意のページを提示させることが可能となる。
【００２５】
本発明に係る情報処理装置は、上記の課題を解決するために、上述の通信端末装置との間で無線通信を行う無線通信手段と、上記無線通信手段により受信された信号の内容を解析する信号解析手段と、上記第２指示信号の入力に応じて動作を実行する第２機能実行手段とを備え、上記信号解析手段は、上記無線通信手段により受信された信号が、上記第２指示信号であると解析した場合に、該第２指示信号を上記第２機能実行手段に伝送することを特徴としている。
【００２６】
上記構成によれば、外部の通信端末装置により装置本体に対して入力された信号は、無線通信手段を介して信号解析手段により受信される。そして、上記信号が、外部の通信端末装置からの第２指示信号であると解析されれば、該第２指示信号は、上記第２機能実行手段へと供給先が切り替えられて供給される。次に、上記信号解析手段により、上記第２指示信号が第２機能実行手段に供給された場合に、上記第２機能実行手段は、上記第２指示信号が指示する動作を実行する。
【００２７】
これにより、外部の通信端末装置より送信された遠隔操作するための指示信号を受信し、その指示信号が指示する動作を実行することが可能な情報処理装置を提供することが可能となる。すなわち、上記情報処理装置は、情報処理装置本体と無線通信することが可能な外部の通信端末装置によって操作されるように、該情報処理装置の状態を切り替えることが可能となる。
【００２８】
結果として、本来の利用目的と機能とを有する通信端末装置を、外部の情報処理装置を無線で遠隔操作することが可能なリモコンとして用いる場合に、そのリモコンにより遠隔操作され得る情報処理装置を提供することが可能となる。
【００２９】
また、本発明に係る情報処理装置は、上記第２機能実行手段が映像の表示を制御する表示制御手段であり、さらに、上記表示制御手段から出力される映像信号を外部の映像表示装置へ送信する送信手段を備えていることが好ましい。
【００３０】
これにより、上記第２機能実行手段としての表示制御手段による実行結果を、映像信号として、外部の映像表示装置へ送信することが可能となる。従って、遠隔操作により得られた実行結果としての映像信号をさらに外部の映像表示装置へ送信することが可能となる。
【００３１】
本発明に係る通信システムは、上記の課題を解決するために、上述の通信端末装置と、上記通信端末装置と無線による通信を行う上述の情報処理装置とを含むことを特徴としている。
【００３２】
上記構成によれば、上記通信端末装置と、上記情報処理装置とは、無線通信網を介して無線通信可能となり、上記通信端末装置から、上記情報処理装置の動作を指示するための第２指示信号を、上記受情報処理装置に送信する。上記第２指示信号を受信した情報処理装置は、その第２指示信号が指示する動作を実行する。
【００３３】
以上のことから、上記通信端末装置を、上記情報処理装置を遠隔操作するためのリモコンとして用いることができ、上記情報処理装置を上記通信端末装置により遠隔操作することが可能な、通信システムを構築することが可能となる。
【００３４】
本発明に係る映像表示システムは、上記の課題を解決するために、上述の通信端末装置と、上記通信端末装置と無線による通信を行う、上述の送信手段を備えた情報処理装置と、上記情報処理装置から映像信号を受信し、映像の表示を行う映像表示装置とを含むことを特徴としている。
【００３５】
上記構成によれば、上記通信端末装置を、上記情報処理装置のリモコンとして用いることができ、その遠隔操作の実行結果は、上記映像表示装置に反映される。結果として、上記情報処理装置を上記通信端末装置により遠隔操作し、その実行結果を外部の映像表示装置に出力することが可能な、映像表示システムを構築することが可能となる。
【００３６】
本発明に係る通信端末制御方法は、上記の課題を解決するために、外部の通信端末装置との間で無線通信を行う通信端末装置の通信端末制御方法であって、ユーザからの指示入力を受け付け、該指示入力に応じた第１指示信号を生成する第１指示信号生成ステップと、上記第１指示信号が入力されると、該第１指示信号に従って所定の情報処理を行う情報処理ステップと、上記第１指示信号が入力されると、該第１指示信号の種類に応じて、上記外部の通信端末装置の動作を指示する第２指示信号を生成し、無線通信によって該第２指示信号を該外部の通信端末装置に送信する第２指示信号生成ステップと、上記第１指示信号生成ステップにおいて生成された第１指示信号を、上記情報処理ステップが実行されている場合に該情報処理ステップへの入力として伝送するとともに、上記第２指示信号生成ステップが行われている場合に該第２指示信号生成ステップへの入力として伝送する機能切替ステップとを含むことを特徴としている。
【００３７】
上記方法によれば、通信端末装置本体に入力されるユーザからの指示入力に基づいて、上記第１指示信号生成ステップにて第１指示信号が生成される。生成された第１指示信号は、上記機能切替ステップにおいて、もし通信端末装置が有する第２指示信号を生成するための第２指示信号生成ステップが行われていれば、該第２指示信号生成ステップの入力として供給される。これにより、上記第２指示信号生成するステップにて、供給された第１指示信号の種類に応じて、上記第２指示信号が生成される。上記生成された第２指示信号は、無線通信によって上記外部の情報処理装置へと送信される。
【００３８】
これにより、本来の機能を実行するための通信端末装置を、外部の情報処理装置に動作を実行させるためのリモコンとして用いることが可能となる。すなわち、上述の通信端末装置は、該通信端末装置と無線通信することが可能な外部の情報処理装置に対して、遠隔操作を行うことが可能となる。
【００３９】
本発明に係る情報処理方法は、上記の課題を解決するために、上述の通信端末装置との間で無線通信を行う情報処理装置の情報処理方法であって、上記通信端末装置から受信された信号の内容を解析する信号解析ステップと、上記第２指示信号の入力に応じて動作を実行する第２機能実行ステップとを有し、上記信号解析ステップにおいて、上記通信端末装置から受信された信号が、上記第２指示信号であると解析した場合に、該第２指示信号が上記第２機能実行ステップへの入力として伝送されることを特徴としている。
【００４０】
上記方法によれば、外部の通信端末装置より送信された信号が無線通信により上記情報処理装置に入力されると、上記信号解析ステップにて、上記信号の内容が解析される。解析の結果、もし上記入力された信号が、上記第２指示信号であれば、該第２指示信号は、上記第２機能実行ステップへの入力として伝送され、該第２機能実行ステップにて、上記第２指示信号が指示する動作が実行される。
【００４１】
これにより、上記情報処理装置は、外部の通信端末装置より送信された、遠隔操作指示信号を受信し、その指示信号が指示する動作を実行することが可能となる。
【００４２】
本発明の通信端末制御プログラムは、上記の課題を解決するために、上述の通信端末装置を動作させる通信端末制御プログラムであって、コンピュータを上述の各手段として機能させるための通信端末制御プログラムである。
【００４３】
この場合、汎用のコンピュータにより簡単に、通信端末の制御を行うことが可能となる。
【００４４】
本発明の情報処理プログラムは、上記の課題を解決するために、上述の情報処理装置を動作させる情報処理プログラムであって、コンピュータを上述の各手段として機能させるための情報処理プログラムである。
【００４５】
この場合、汎用のコンピュータにより簡単に、情報処理を行うことが可能となる。
【００４６】
また、上記通信端末制御プログラムおよび情報処理プログラムは、コンピュータ読み取り可能な記録媒体に記録するようにすれば、そのコンピュータを備えているだけで、本来の利用目的と機能とを有する、既存の通信端末装置であって、ノートパソコンなどの他の通信端末装置を遠隔操作することが可能な通信端末装置を簡単に実現することが可能となる。
【発明の効果】
【００４７】
本発明に係る通信端末装置は、以上のように、所定の情報処理を行う情報処理手段と、外部の情報処理装置との間で無線通信を行う無線通信手段と、ユーザからの指示入力を受け付け、該指示入力に応じた第１指示信号を生成する操作入力手段と、上記第１指示信号が入力されると、該第１指示信号の指示内容に応じて、上記外部の情報処理装置の動作を指示する第２指示信号を生成し、上記無線通信手段を介して該第２指示信号を該外部の情報処理装置に送信する第２指示信号生成手段と、上記操作入力手段によって生成された第１指示信号を、上記情報処理手段が動作している場合に該情報処理手段に伝送するとともに、上記第２指示信号生成手段が動作している場合に該第２指示信号生成手段に伝送する機能切替手段とを備えているので、結果として、本来の利用目的と機能とを有する、通信端末装置によって、ノートパソコンなどの外部の情報処理装置を遠隔操作することが可能となるという効果を奏する。
【発明を実施するための最良の形態】
【００４８】
本発明の一実施の形態について説明すれば、以下の通りである。なお、本実施の形態では、本発明の通信端末装置として携帯電話を、また、情報処理装置としてノートパソコンを例に説明する。また、本発明の通信システムについて、上記携帯電話を用いて、上記ノートパソコンを操作する、無線通信遠隔操作システムを例に取り上げて説明する。
【００４９】
〔無線通信遠隔操作システムの概要〕
図２は、本実施の形態に係る無線通信遠隔操作システム（通信システム）１０の概略構成を示す図である。
【００５０】
図２に示す通り、無線通信遠隔操作システム１０は、ノートパソコン（情報処理装置）２と、それを遠隔操作するための携帯電話（通信端末装置）１とを含んでおり、携帯電話１とノートパソコン２とは無線通信網５により、無線で通信することが可能である。
【００５１】
ここで、本実施の形態では、無線通信網５において用いられる無線通信規格としてBluetoothを採用する。
【００５２】
Bluetoothでは、免許なしで自由に使うことのできる、ＩＥＥＥ８０２．１１ｂと同じ２．４ＧＨｚ帯の電波を使用されており、最大１Ｍｂｐｓの速度で通信を行うことが可能である。伝送距離は１０ｍ程度と近距離であるが、赤外線とは異なり、上記の距離以内であれば障害物があっても利用することができる。
【００５３】
上記の構成により、携帯電話１とノートパソコン２との距離が１０ｍ程度以内であれば、本発明の携帯電話１を操作することにより、ノートパソコン２を遠隔操作することが可能となる。
【００５４】
例えば、通常、ノートパソコン２の表示画面に表示されているマウスポインタ（シンボル画像）２７やカーソルなどを動かしたい場合は、マウス２４、キーボード２５、スライディングパッド２６などの操作部を用いて、表示画面の任意の場所に動かすことが可能である。
【００５５】
これらの機能の実行指示を携帯電話１に備えられた各操作ボタンなどに割り当てる。これにより、例えば、携帯電話１の十字キーの「上」を押下すれば、マウスポインタ２７が矢印Ｙの方向に、「左」を押下すれば、矢印Ｘの方向に動かすなどといったことが可能である。
【００５６】
以下、上述の遠隔操作を実現するための無線通信遠隔操作システム１０における各構成要素について、さらに詳細に説明する。
〔遠隔操作指示送信側−携帯電話〕
図３は、本実施の形態に係る携帯電話１の概略構成を示すブロック図である。
【００５７】
本実施の形態に係る携帯電話１は、図３に示すように、携帯電話１の各部を統括制御するための主制御部１１を中心に、操作部（操作入力手段）１２、メモリ（指示信号格納手段）１３、無線通信部（無線通信手段）１４、無線通信アンテナ８、表示部（表示手段）１８、画像処理部１９、スピーカ２０、マイク２１、カメラ部２２、および、ＬＥＤ（Light Emitting Diode）２３を備えた構成となっている。
【００５８】
さらに、携帯電話１には、携帯電話１の各種機能を実現するための各機能実行部（図１の各機能実行部（情報処理手段）１７）や、ノートパソコン２の遠隔操作を実現するための遠隔操作実行部９が主制御部１１の内部に設けられている。この遠隔操作実行部９の詳細については後述する。
【００５９】
ここでは、携帯電話１の各構成要素について説明する。
【００６０】
操作部１２は、携帯電話１の各種機能を操作するためのボタンである。このボタンを押下した信号は、主制御部１１に送られる。
【００６１】
メモリ１３は、アプリケーション機能を実行するために必要なプログラムやデータ等を格納するメモリである。従って、遠隔操作実行部９が用いるデータもここに格納されている。上記データの詳細は後述する。その他、携帯電話１にて電子メールを送受信するためのアプリケーションプログラムなどもここに格納されている。これらのプログラムやデータは、主制御部１１によって必要に応じて読み出されるようになっている。
【００６２】
無線通信部１４は、外部の情報処理装置と無線通信を行うための構成要素、すなわち、携帯電話１における遠隔操作機能を実現するための構成要素である。また、無線通信アンテナ８は、携帯電話網における中継基地局との無線通信を行うための構成要素、すなわち各種機能、例えば、電話、電子メール、インターネット等の通信機能を実現するためのものである。
【００６３】
表示部１８は、例えば液晶表示装置（ＬＣＤ）からなり、携帯電話１に備わった各種アプリケーション機能の実行画面を表示するようになっている。
【００６４】
画像処理部１９では、主制御部１１より指示された画像信号を表示部１８において表示し得る形式に変換する処理を施すようになっている。例えば、遠隔操作機能を実行中のメニュー画面なども画像処理部１９により処理が施されて、表示部１８に表示される。
【００６５】
スピーカ２０は、携帯電話１において電話機能を実行した場合の受話時のスピーカとして使用される。
【００６６】
また、マイク２１は、送話時のマイクとして使用される。
【００６７】
カメラ部２２は、ＣＣＤ（Charge Coupled Device）等の撮像素子からなる撮像手段であり、主制御部１１からの指示に基づいて被写体を撮像するようになっている。
【００６８】
ＬＥＤ２３は、携帯電話１の使用者に対して、着信を報知するために、視覚的に報知するための手段として使用される。例えば、着信の場合には、ＬＥＤ２３を点滅させるようにしてもよい。
【００６９】
なお、携帯電話１は、上述の各部、各機能に限定されず、他にも様々な機能を有していてもよい。例えば、現在位置検知するためのＧＰＳ（Global Positioning System）、ＴＶ放送受像機能を実現するためのＴＶアンテナおよびチューナなどの各部を有した構成でもよい。この場合、上記各部を機能させるための機能実行部がそれぞれ主制御部１１の内部に設けられる。
【００７０】
上述したようなノートパソコン２の遠隔操作を、携帯電話1が実現するための構成として、本願発明では、主制御部１１内部に設けられた遠隔操作実行部９と、さらに、操作部１２、メモリ１３、無線通信部１４、および表示部１８とがある。これらの各構成要素によって、携帯電話１による遠隔操作が可能となる。以下に、遠隔操作実行部９を中心に携帯電話１の詳細について説明する。
【００７１】
図１は、本実施の形態に係る携帯電話１の要部構成を示すブロック図である。携帯電話１は、図１に示すように、主制御部１１内部に、装置本体に入力された指示信号を、指示された動作を実行するための各実行部へ供給する機能切替部（機能切替手段）１５と、上記指示信号を用いて、他の機器を遠隔操作するため指示信号を生成する遠隔操作指示信号生成部（第２指示信号生成手段）１６とを有し、これらが遠隔操作実行部９を構成している。なお、各機能実行部１７は、携帯電話１が有するその他の各機能（例えば、電子メール、電話機能など）を実行するための構成要素を表している。
【００７２】
なお、図１の残りの各構成要素に付された番号は、図２の各構成要素に付された番号に対応しており、同じ符号は、同じ構成要素を示している。以下、各構成要素についてさらに詳しく説明する。
【００７３】
操作部１２は、ユーザが携帯電話１を操作するための指示入力キーである。操作部１２は、ユーザによって押下されることにより、その指示入力キーに応じた指示信号を生成する。各キーの配置の例を図４に示す。図４は、クラムシェル型の携帯電話１を開いた状態の内側の正面図である。
【００７４】
図４に示す通り、操作部１２の各指示入力キーは、四方向を示す十字キー、電話番号を入力する時になどに用いられる０から９の数字キーや、「＊」や「＃」の記号キーが配置されている。上記各キーが押下されることにより生成される信号は、携帯電話指示信号（第１指示信号）として機能切替部１５によって受信される。また、表示部１８には、各機能の実行画面が表示される。
【００７５】
機能切替部１５は、ユーザによって携帯電話１に入力された指示に基づき操作部１２によって生成された携帯電話指示信号を、動作を実行中の各機能実行部へ供給するためのものである。なお、機能切替部１５は、携帯電話１装置本体においてどの機能実行部が動作中であるか（すなわち、待ち受け状態なのか、あるいは、現在どのアプリケーション機能を起動中であるか、など）を検知する。
【００７６】
これにより、機能切替部１５は、上記携帯電話指示信号を受信し、その携帯電話指示信号の内容と、上記装置本体の動作の状態とから、上記携帯電話指示信号を供給すべき機能実行部を特定して、その特定した機能実行部に受信した携帯電話指示信号を供給することができる。もし、携帯電話１がノートパソコン２を遠隔操作するためのリモコンとして機能している場合は、操作部１２により生成された携帯電話指示信号は、この機能切替部１５によって、遠隔操作指示信号生成部１６に供給される。
【００７７】
遠隔操作指示信号生成部１６は、外部の情報処理装置（例えば、ノートパソコン２）を遠隔操作するための遠隔操作指示信号（第２指示信号）を生成するためのものである。遠隔操作指示信号生成部１６は、上記遠隔操作指示信号を生成するために、メモリ１３に格納されている指示信号対応リスト７（図５）を参照する。ここで、図５に、遠隔操作指示信号生成部１６が参照する指示信号対応リスト７の具体例を示す。
【００７８】
図５は、メモリ１３に格納されている、指示信号対応リスト７の具体例を示す表である。
【００７９】
なお、このリストに示される各指示信号は、携帯電話１がノートパソコン２に対して行うことのできる遠隔操作の指示信号の一例を挙げたものであり、これには限定されない。ここでは、説明のために、ノートパソコン２がプレゼンテーション機能のアプリケーションソフトを起動中である時に、携帯電話１が、１つまたは複数のページからなるプレゼンテーションの資料（以下、スライドと称する）、および、ノートパソコン２に表示されるマウスポインタ２７（図２）に対して遠隔操作を行う場合の例を取り上げる。
【００８０】
指示信号対応リスト７は、１レコードに、携帯電話指示信号（カラムＣ１）、指示対象となる機能名（カラムＣ２）、および、遠隔操作指示の内容（第２指示信号情報）（カラムＣ３）についての情報を有するテーブル構造になっている。カラムＣ１には、携帯電話１に対して操作部１２より入力される各種携帯電話指示信号が格納され、カラムＣ３には、ノートパソコン２に対して入力される遠隔操作指示信号の内容が格納されている。この遠隔操作指示信号とは、ノートパソコン２が理解可能な指示信号のことを指す。カラムＣ３には、説明のために、実際に行う動作を具体的に記載しておく。
【００８１】
また、カラムＣ２に格納されている機能名とは、ノートパソコン２が有する各機能を示す機能識別情報である。ここでは、具体的には、「マウス」とは、ノートパソコン２が有するマウスポインタの制御に関する機能を、「スライド」とは、ノートパソコン２が有するスライド（データファイル）提示処理に関する機能を表す。これらの機能識別情報も、ノートパソコン２が理解可能な指示信号である。なお、この機能識別情報と上記遠隔操作指示の内容との組み合わせを、遠隔操作指示信号としてもよい。
【００８２】
これにより、プレゼンテーション機能のアプリケーションソフトで、ノートパソコン２が複数の機能（例えば、マウスポインタの制御およびスライド提示処理、など）を有している場合でも、ノートパソコン２は、上記遠隔操作指示信号がどの機能に対する指示信号であるのかを識別することができる。従って、携帯電話１から送信された遠隔操作指示信号は、ノートパソコン２の複数の機能実行部に対して、その指示信号が指定する機能実行部へと適切に供給される。
【００８３】
遠隔操作指示信号生成部１６は、上述の指示信号対応リスト７を参照し、供給された携帯電話指示信号に関連付けられた、遠隔操作指示の内容と、機能識別情報とから遠隔操作指示信号を生成し、それを無線通信部１４に出力する。
【００８４】
上記のようにして生成された、ノートパソコン２を遠隔操作するための指示信号は、無線通信部１４を介して、ノートパソコン２へと送信される。
【００８５】
上記構成により、外部の装置を遠隔操作することが可能な携帯電話１を提供することが可能となる。
【００８６】
なお、指示信号対応リスト７は、上述したカラムに限らず、本発明の無線通信遠隔操作システム１０を利用する時の環境、もしくは、遠隔操作される側の機器の仕様に応じて、種々の変更が可能である。
【００８７】
例えば、ノートパソコン２がプレゼンテーション機能のアプリケーションソフト以外にも複数のアプリケーションソフトを起動することが可能な場合は、そのアプリケーションソフトを識別するための情報を格納するカラムを設ければよい。あるいは、携帯電話１がノートパソコン２以外の複数の機器に対して遠隔操作を行う場合は、各機器を識別するための情報を格納するカラムを設ければよい。これにより、携帯電話１から送信された遠隔操作指示信号を、その指示信号が指定する機器の、指定のアプリケーションソフトにおける、指定の機能実行部へと適切に供給することができる。
〔遠隔操作指示受信側−ノートパソコン〕
次に、図６を用いて、上述の携帯電話１によって遠隔操作される側の装置としてのノートパソコン２について説明する。
【００８８】
図６は、本実施の形態に係るノートパソコン２の要部構成を示すブロック図である。ノートパソコン２は、図６に示すように、装置本体の各部を統括制御する主制御部３０、無線通信部（無線通信手段）３１、操作部３２、メモリ３３、および表示部３４を備えた構成となっている。
【００８９】
さらに、ノートパソコン２には、機能切替部（信号解析手段）３６、マウスポインタ制御部（第２機能実行手段・表示制御手段）３７、映像信号出力部３８、スライド提示処理部（第２機能実行手段・表示制御手段）３９、および、その他のノートパソコン２の各種機能を実現するための各機能実行部４０が主制御部３０の内部に設けられている。
【００９０】
以下で、ノートパソコン２の各構成要素について詳しく説明する。
【００９１】
無線通信部３１は、ノートパソコン２外部からの信号を受信するための、つまり、携帯電話１より送信された遠隔操作指示信号を無線通信により受信するためのものである。また、各種機能、例えば、電子メール、インターネット等の通信機能もこれにより実現してもよい。
【００９２】
操作部３２は、図２に示したマウス２４、キーボード２５、マウスポインタ２７などに代表される、入力インターフェースである。これらは、ユーザが通常、ノートパソコン２を操作する際に用いる。
【００９３】
メモリ３３は、携帯電話１のメモリ１３と同様、ノートパソコン２がアプリケーション機能を実行するに必要なプログラムやデータ等を格納するものである。これらのプログラムやデータは、主制御部３０によって必要に応じて読み出されるようになっている。
【００９４】
表示部３４は、装置本体の各実行部が、入力された指示信号に応じて機能を実行し、生成した映像信号をユーザに表示するための表示手段である。例えば液晶表示装置（ＬＣＤ）などからなり、ノートパソコン２に備わった各種アプリケーション機能の実行画面を表示するようになっている。例えば、プレゼンテーション機能のアプリケーションソフトを起動した場合であれば、スライドなどを表示させることができる。
【００９５】
次に、主制御部３０内部の各構成要素について説明する。
【００９６】
機能切替部３６は、装置本体に入力された指示信号の内容を解析し、該指示信号を、該指示信号が指示する動作を実行する各部へ供給するためのものである。機能切替部３６は、装置本体においてどの機能実行部が動作中であるかを検知し、該指示信号を動作中の機能実行部に供給する。
【００９７】
さらに機能切替部３６は、上記受信した指示信号が、無線通信部３１を介して携帯電話１から送信されたもの（遠隔操作指示信号）であると解析した場合は、その遠隔操作指示信号とともに送信されてくる機能識別情報を検知し、上記機能識別情報が示す機能実行部（例えば、マウスポインタ制御部３７やスライド提示処理部３９）へと該遠隔操作指示信号を供給する。
【００９８】
この機能切替部３６により、ノートパソコン２は、無線通信部３１からの遠隔操作指示信号および操作部３２からの指示信号の両方を受け付ける。これにより、携帯電話１を用いて遠隔操作を行い、必要に応じてノートパソコン２本体の操作部３２から操作を行うといったことが可能となる。
【００９９】
あるいは、機能切替部３６は、上記遠隔操作指示信号を受信し、ノートパソコン２がその指示信号に基づき機能を実行している間は、上記操作部３２からの指示信号の受け付けないようロックする構成としてもよい。これにより、携帯電話１から操作を行っている間は、操作部３２による通常の操作のための入力を無効化することができ、携帯電話１からの遠隔操作を円滑に進めることが可能となる。また、携帯電話１による遠隔操作が終了した場合には、携帯電話１からの遠隔操作指示信号の送信が途絶したことを検知して、ロックを解除すればよい。
【０１００】
マウスポインタ制御部３７は、プレゼンテーション機能のアプリケーションソフト起動中に、表示部３４に表示されているマウスポインタ２７に関する制御を行うものである。マウスポインタに関する制御とは、例えば、マウスポインタ２７の表示位置の変更（移動）、マウスポインタ２７の形状・大きさ・色などの変更を行うことである。これらの機能は例えば、プレゼンテーションのスライドを表示部に表示させている時に、プレゼンターがそのスライドのある部分に注目してもらいたい時に、指し示すなどの目的で用いられる。
【０１０１】
スライド提示処理部３９は、プレゼンテーション機能のアプリケーションソフト起動中に、スライドの開始（ファイルの展開）・終了、および、スライドのページを前に進めたり、戻したりするための処理を行うものである。
【０１０２】
映像信号出力部３８は、上記各機能の実行部（マウスポインタ制御部３７、スライド提示処理部３９、および各機能実行部４０）が処理を行った結果を表示部３４に表示させるための映像信号を各部より受け取り、表示部３４に映像信号として出力するためのものである。
【０１０３】
なお、本実施の形態では、図６に示すように、ノートパソコン２は、通信部（送信手段）３５をさらに備えていてもよい。この場合、映像信号出力部３８が出力した映像信号を通信部３５へと供給することが可能となる。これにより、上記映像信号を、ノートパソコン２外部の他の機器（例えば、プロジェクタなどの映像表示装置）へ送信することが可能となり、例えば、表示部３４に表示したのと同じ映像を、上記映像表示装置の表示部に表示させることも可能となる。
【０１０４】
以上これまで述べてきた、通信端末装置および情報処理装置の構成によれば、本来の利用目的と機能とを有する通信端末装置を、外部の情報処理装置を遠隔操作することが可能なリモコンとして用いることが可能となる。そして、これらをBluetoothなどの無線通信技術を用いて無線通信可能なように接続することにより、上記通信端末装置で、上記情報処理装置を遠隔操作することが可能な無線通信遠隔操作システムを提供することが可能となる。
【０１０５】
なお、各通信端末装置を無線通信可能にする無線通信網５（図２）について、本実施の形態ではBluetoothを採用したが、これには限定されない。利用範囲は上記Bluetoothに比べて限定されるが、他の無線通信技術の例として、ＩｒＤＡ（Infrared Data Association）が挙げられる。
【０１０６】
ＩｒＤＡは、赤外線を利用した近距離のデータ通信を行う技術仕様として定められた赤外線通信の規格である。各通信端末装置間の設置距離を、通信可能距離である１ｍ程度に限定すれば、本実施の形態と略同様の効果が得られる。
【０１０７】
次に、これまで説明してきた本発明の無線通信遠隔操作システム１０を、ノートパソコン２をプロジェクタに接続してプレゼンテーションを行うプレゼンテーションシステム（映像表示システム）１００に適用する場合を例に取り上げて、図７を用いて説明する。
〔プレゼンテーションシステムの概要〕
図７は、本実施の形態に係る無線通信遠隔操作システム１０（図２）を、プレゼンテーションシステム１００に適用した場合の概略構成を示す図である。
【０１０８】
図７に示す通り、プレゼンテーションシステム１００は、プレゼンテーションの映像信号を発生させるノートパソコン２とそれを遠隔操作するための携帯電話１とを含む無線通信遠隔操作システム１０、ノートパソコン２から出力された映像信号を受信し光学的映像信号として拡大投影するプロジェクタ（映像表示装置）３、およびプロジェクタ３により投影された映像信号を受光して映像として表示するスクリーン４を含んでいる。
【０１０９】
また、ノートパソコン２とプロジェクタ３とは通信径路６により通信することが可能であり、この通信径路６は、無線、有線を含む任意の通信技術を適用すればよい。
【０１１０】
ここで、ノートパソコン２からの映像信号出力以降、スクリーン４に映像が投影されるまでの技術については、例えば、特許文献１などに記載の技術を適用するものとし、ここでは詳細な説明を省略する。
【０１１１】
以上のように、本発明の無線通信遠隔操作システム１０をプレゼンテーションシステム１００に適用することにより、例えば、携帯電話１を用いて、ノートパソコン２の表示部３４に表示されているマウスポインタ２７の位置を表示部３４の表示領域内で任意に変更することが可能となる。従って、スクリーン４に投影されたマウスポインタ２７を任意に動かすことが可能となり、携帯電話１をプレゼンテーションで用いるレーザポインタのように用いることができる〔マウスポインタ制御機能（シンボル画像の表示制御機能）〕。
【０１１２】
また、携帯電話１をノートパソコン２のリモコンのように用いて、ノートパソコン２に格納されているスライドの、開始・終了を行ったり、スライドのページを前に進めたり、戻したりすることが可能となる〔スライド提示機能（データファイルのページ画像表示制御機能）〕。
【０１１３】
以上のことから、プレゼンターが、ノートパソコンから離れた位置でプレゼンテーションを行う時に、ノートパソコンを操作できる位置まで都度戻らずとも、スライドを展開したり、注目箇所を指し示したりできるような、円滑にプレゼンテーションを行えるプレゼンテーションシステム１００を提供することができる。
〔実施の形態−プレゼンテーションシステム〕
図７のプレゼンテーションシステム１００において、携帯電話１から上記の２つの機能をノートパソコン２に実行させる場合について、図１０（ａ）（ｂ）および図１１（ａ）〜（ｄ）を適宜参照しながら、以下具体的に説明する。なお、ここでも、図４、図５に示す例を用いる。
【０１１４】
まず、最初に、携帯電話１をリモコンとして取り扱うために、通常の携帯電話として機能する携帯電話１を、ノートパソコン２のリモコンとして機能する携帯電話１（プレゼンモード）へと状態を切り替える操作を行う。この操作は、ユーザが例えばメニュー画面などからアプリケーションを起動するのと同じ要領で実現できる。図１０（ａ）に、その時のＧＵＩ（Graphical User Interface）画面の具体例を示す。
【０１１５】
あるいは、携帯電話１に別の入力指示キー（図示せず）を設けて、そのキーを押下することにより、携帯電話１をプレゼンモードへと変更させるのでもよい。
【０１１６】
上記のようにして、携帯電話１よりプレゼンモードが起動されると、携帯電話１の表示部１８に表示される画面は、図１０（ｂ）に示すメニュー画面へと遷移する。
【０１１７】
図１０（ｂ）は、携帯電話１がプレゼンモードである時（すなわち、図１の遠隔操作指示信号生成部１６が起動中の時）に表示部１８に表示される実行画面の具体例を示す図である。表示部１８に表示されているリストは、ユーザが携帯電話１をノートパソコン２のリモコンとして扱うときに、どのキーを押せば、どのようにノートパソコン２を操作できるかを、ユーザに提示するためのものである。ここでは、上述の指示信号対応リスト７（図５）の例に対応させている。
【０１１８】
これにより、ユーザは、例えば、十字キーの上（図４のキーＵ）を押せば、マウスポインタ２７（図７）を上に動かすことができ、「＃」キーを押せば、スライドの次のページを表示させることができるということを理解できる。
【０１１９】
次に、プレゼンモード中に、携帯電話１の操作部１２が押下されてから、ノートパソコン２より映像信号が出力されるまでの、各装置の処理の流れを、図８および図９のフローチャートに基づき、図１および図６を参照しながら、それぞれ説明する。ここでは、ユーザにより、図４のキーＵが押下された場合について、説明する。
【０１２０】
図８は、図１に示す携帯電話１の操作部１２が押下されてから、ノートパソコン２を遠隔操作するための遠隔操作指示信号を出力するまでの、携帯電話1の処理の流れを示すフローチャートである。
【０１２１】
携帯電話１は、ユーザからの操作部１２の何らかのキー入力を受け付ける状態にあり（Ｓ１０１）、操作部１２から、図４に示すキーＵが押下されると、キーＵの指示信号（指示信号Ｕ）が生成され、機能切替部１５に入力される（Ｓ１０１のＹＥＳ）。次に、機能切替部１５は、装置本体がプレゼンモードであるか否かを判断し（Ｓ１０２）、プレゼンモードであれば、受信した指示信号Ｕを遠隔操作指示信号生成部１６に供給する（Ｓ１０３）。
【０１２２】
次に、遠隔操作指示信号生成部１６は、メモリ１３の指示信号対応リスト７を参照し、指示信号Ｕに関連付けられた機能識別情報（図５より「マウス」）と遠隔操作指示信号（図５より「マウスポインタを上に動かす」）とから、送信すべき遠隔操作指示信号を生成する（Ｓ１０４）。生成された遠隔操作指示信号は、無線通信部１４により、Bluetoothを用いてノートパソコン２へ送信される（Ｓ１０５）。
【０１２３】
なお、Ｓ１０２において、携帯電話１がプレゼンモードではないと判定された場合には、上記指示信号Ｕは、その時機能切替部１５によって検知された携帯電話１の動作の状態に応じて、対応する各機能実行部１７のいずれかに供給され（Ｓ１０６）、然るべき機能を実行し（Ｓ１０７）、処理を終了する。
【０１２４】
図９は、図６に示すノートパソコン２によって、上述のフローによって送信された遠隔操作指示信号が受信されてから、映像信号として出力されるまでのノートパソコン２の処理の流れを示すフローチャートである。
【０１２５】
ノートパソコン２は、無線通信部３１または操作部３２より何らかの指示信号を受け付ける状態にあり（Ｓ２０１）、指示信号が、無線通信部３１を介して受信されると、機能切替部３６に入力される（Ｓ２０１のＹＥＳ）。次に、機能切替部３６は、入力された指示信号を解析し、それが上記携帯電話１からの遠隔操作指示信号であるか否かを判定する（Ｓ２０２）。
【０１２６】
Ｓ２０２にて、上記指示信号を遠隔操作指示信号であると判定した場合には、次に、機能切替部３６は、受信した遠隔操作指示信号に含まれる機能識別情報から、（Ａ）マウスポインタ制御機能に関する指示信号であるのか、（Ｂ）スライド提示機能に関する指示信号であるのかを判定する（Ｓ２０３）。機能識別情報が「マウス」であると判定した場合には（Ｓ２０３においてＡ）、機能切替部３６は、受信した遠隔操作指示信号をマウスポインタ制御部３７に供給する（Ｓ２０４）。
【０１２７】
続いて、マウスポインタ制御部３７は、上記遠隔操作指示信号を受信すると、マウスポインタ制御の処理を行う（Ｓ２０５）。より具体的には、上記遠隔操作指示信号が「マウスポインタを上に動かす」を示していることから、マウスポインタ２７を現在ある位置から上に動かすという処理を施し、その結果を映像信号出力部３８に供給する。
【０１２８】
映像信号出力部３８は、マウスポインタ制御部３７より供給された結果の信号を映像信号として通信部３５に出力する（Ｓ２０６）。続いて、通信部３５は、受信した映像信号を、図７の通信径路６を介してプロジェクタ３へと送信する（Ｓ２０７）。
【０１２９】
これにより、スクリーン４に表示されたマウスポインタ２７は、上に移動する。なお、Ｓ２０６にて、上記映像信号がノートパソコン２の表示部３４へと出力された場合には、表示部３４内に表示されたマウスポインタ２７（図７）が、上に移動する。
【０１３０】
一方、上記機能識別情報が「スライド」であると判定された場合には（Ｓ２０３においてＢ）（例えば、携帯電話１の「＃」キーが押下された時（図４、５参照））、機能切替部３６は、受信した遠隔操作指示信号をスライド提示処理部３９に供給する（Ｓ２０８）。
【０１３１】
続いて、スライド提示処理部３９は、上記遠隔操作指示信号を受信すると、スライド提示の処理を行う（Ｓ２０９）。より具体的には、上記遠隔操作指示信号（「＃」キー）が図５より「次のページを提示」を示していることから、図７の表示部３４（および、スクリーン４）に現在表示されているスライドの次のページを表示させるという処理を施し、その結果を映像信号出力部３８に供給する。以降の処理（Ｓ２０６、Ｓ２０７）は、既に述べたのでここでは省略する。
【０１３２】
なお、Ｓ２０２において、機能切替部３６が、入力された指示信号は携帯電話１からの遠隔操作指示信号でない判定した場合には、上記指示信号は、機能切替部３６が検知したノートパソコン２の動作の状態に応じて、対応する各機能実行部４０のいずれかに供給される（Ｓ２１０）。続いて、上記指示信号を受け付けた各機能実行部４０は、その指示信号が指示する、然るべき機能を実行し（Ｓ２１１）、処理を終了する。
〔その他のポインタ制御機能〕
なお、図６に示すマウスポインタ制御部３７は、上記フローチャートの説明で例に挙げたマウスポインタ２７の位置を動かすという機能以外にも、（ｉ）マウスポインタ２７の形状を変更する、（ii）マウスポインタ２７の大きさを変更する、および（iii）マウスポインタ２７の色を変更する機能を有しており、それらの機能に対応する、図４に示す操作部１２の各キーが押下された場合には、上述のフローを経て、対応するノートパソコン２の各機能が実行され、図１１（ｂ）〜（ｄ）に示す通り、結果がスクリーン４に反映される。図１１（ａ）は、プレゼンテーションシステム１００における、ある時点でのスクリーン４に投影された表示画面の一例を示す図である。
【０１３３】
（ｉ）マウスポインタ２７の形状を変更する
図１１（ｂ）は、図１１（ａ）の状態から、図４の操作部１２の「２」キーが押下された後の表示画面の例を示す。「２」キーは、図５より遠隔操作指示「マウスポインタの形状を丸に変更」に対応しているので、マウスポインタ２７の形は、丸に変更される。示したい範囲が点ではなく、一定の領域に渡る場合に用いられる。
【０１３４】
（ii）マウスポインタ２７の大きさを変更する
図１１（ｃ）は、図１１（ｂ）の状態から、図４の操作部１２の「４」キーが押下された後の表示画面の例を示す。「４」キーは、図５より遠隔操作指示「マウスポインタの大きさ−大に変更」に対応しているので、マウスポインタ２７は大きくされる。示したい範囲がより広い場合や、指し示すポインタをより目立たせたい場合に用いられる。
【０１３５】
（iii）マウスポインタ２７の色を変更する
図１１（ｄ）は、図１１（ｃ）の状態から、図４の操作部１２の「９」キーが押下された後の表示画面の例を示す。「９」キーは、図５より遠隔操作指示「マウスポインタの色  ⇒  白に変更」に対応しているので、マウスポインタ２７の色は白に変更される。スライドの背景が白っぽい色から黒っぽい色に変更された場合、マウスポインタ２７を目立たせたい場合に用いられる。
【０１３６】
（iv）その他
なお、ここでは図示しないが、携帯電話１に横側面ボタンを設けて、その横側面ボタンを押しながら、十字キー（Ｕ、Ｄ、Ｒ、Ｌ）を押すと、マウスポインタ２７の矢印の向きを変えるようにしてもよい。
〔その他のスライド提示機能〕
なお、スライド提示処理部３９は、上記で例に挙げた、現在表示されているスライドの次のページを表示させるという機能以外にも、（ｉ）スライドを開始する（終了する）、および（ii）スライドの前のページを提示する機能を有しており、それらの機能に対応する図４の操作部１２の各キーが押下された場合には、上述のフローを経て、対応するノートパソコン２の各機能が実行され、結果がスクリーン４に反映される。
【０１３７】
例えば、ノートパソコン２において、あるプレゼンテーションのデータが選択されている状態で、図４の操作部１２の「０」キーが押下されると、その選択されているプレゼンテーションのスライドが開始されたり、何かのスライドを表示されている状態で、再び「０」キーが押下されると、そのスライドが閉じられたりするようにできる。
【０１３８】
あるいは、「＊」キーを押下すると、現在表示されているスライドの１つ前のページを表示させるようにしてもよい。
【０１３９】
これまで、無線通信遠隔操作システム１０がプレゼンテーションシステム１００に適用された場合の、各装置（携帯電話１およびノートパソコン２）の処理の流れについて、具体例を用いて説明した。
【０１４０】
上記構成によれば、携帯電話１を用いて、ノートパソコン２の表示部３４に表示されているマウスポインタ２７の位置を表示部３４の表示領域内で任意に変更することが可能となる。従って、スクリーン４に投影されたマウスポインタ２７を任意に動かすことが可能となり、携帯電話１をプレゼンテーションで用いるレーザポインタのように用いることができる。
【０１４１】
また、携帯電話１をノートパソコン２のリモコンのように用いて、ノートパソコン２に格納されているスライドの、開始・終了を行ったり、スライドのページを前に進めたり、戻したりすることが可能となる。
【０１４２】
以上のことから、プレゼンターが、ノートパソコンから離れた位置でプレゼンテーションを行う時に、ノートパソコンを操作できる位置まで都度戻らずとも、スライドを展開したり、注目箇所を指し示したりできるような、円滑にプレゼンテーションを行えるプレゼンテーションシステム１００を提供することができる。
【０１４３】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４４】
なお、本発明の無線通信遠隔操作システムを、映像信号を発生させる映像信号発生装置と、該映像信号発生装置の発生した前記映像信号を光又は電波により送信する送信装置と、該送信装置から送信された前記映像信号を受信して表示画像上に表示する表示装置とを備えた映像表示システムに適用し、携帯電話等の通信端末と上記映像信号発生装置の間をBluetooth等の無線規格により通信可能な事を特徴とする映像表示システムとして構成してもよい。
【０１４５】
さらに、上記携帯電話等の通信端末における十字キー等の操作手段によって、上記表示装置に表示された矢印等のシンボルを自由に動かせる事を特徴とする映像表示システムを構成してもよい。
【０１４６】
また、上記シンボルについて、上記携帯電話等の通信端末における電話番号入力キー等の操作手段によって、矢印、丸、三角等の様々なシンボルに変更可能な事を特徴とする映像表示システムを構成してもよい。
【０１４７】
さらに、上記携帯電話等の通信端末における十字キー等の操作手段によって、映像信号発生装置を遠隔操作し、上記表示装置の表示画面を変更する事が可能な事を特徴とする映像表示システムを構成してもよい。
【０１４８】
最後に、携帯電話１およびノートパソコン２の各ブロック、特に携帯電話１の機能切替部１５および遠隔操作指示信号生成部１６、ならびに、ノートパソコン２の機能切替部３６、マウスポインタ制御部３７、スライド提示処理部３９および映像信号出力部３８は、ハードウェアロジックによって構成してもよいし、次のようにＣＰＵを用いてソフトウェアによって実現してもよい。
【０１４９】
すなわち、携帯電話１およびノートパソコン２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話１およびノートパソコン２の制御プログラムのプログラムコード（実行形式プログラム、中間コードプログラム、ソースプログラム）をコンピュータで読み取り可能に記録した記録媒体を、上記携帯電話１およびノートパソコン２に供給し、そのコンピュータ（またはＣＰＵやＭＰＵ）が記録媒体に記録されているプログラムコードを読み出し実行することによっても、達成可能である。
【０１５０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５１】
また、携帯電話１およびノートパソコン２を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５２】
本発明の通信端末装置を用いれば、通常別の機能を有する通信端末装置を、他の通信端末装置を遠隔操作するリモコンとして用いることが可能となる。従って、本発明の無線通信遠隔操作システムを、例えば、ノートパソコンなどの通信端末装置の映像をプロジェクタなどにより投影してプレゼンテーションを行う映像表示システムに、好適に用いることができる。また、リモコンとしての本発明の通信端末装置を、無線通信可能な、また、通常誰もが携帯しているような、携帯電話、ポケットベル、ＰＤＡ（Personal Digital Assistant）などの携帯用端末装置や、あるいは、パーソナルコンピュータ、ノートパソコンなどの各種情報処理装置に適用することができる。
【図面の簡単な説明】
【０１５３】
【図１】本実施の形態に係る携帯電話の要部構成を示すブロック図である。
【図２】本実施の形態に係る無線通信遠隔操作システムの概略構成を示す図である。
【図３】本実施の形態に係る携帯電話の概略構成を示すブロック図である。
【図４】本実施の形態に係る携帯電話がクラムシェル型の場合の、該携帯電話を開いた状態の内側を示す正面図である。
【図５】図１に示すメモリに格納されている、指示信号対応リストの具体例を示す表である。
【図６】本実施の形態に係るノートパソコンの要部構成を示すブロック図である。
【図７】本実施の形態に係る無線通信遠隔操作システムを、プレゼンテーションシステムに適用した場合の概略構成を示す図である。
【図８】図４に示す操作部が押下されてから、遠隔操作指示信号を出力するまでの、図１に示す携帯電話の処理の流れを示すフローチャートである。
【図９】図６に示すノートパソコンにより遠隔操作指示信号が受信されてから、映像信号として出力されるまでの、該ノートパソコンの処理の流れを示すフローチャートである。
【図１０】（ａ）は、図１に示す携帯電話をユーザがプレゼンモードに切り替える時に表示部に表示される、ＧＵＩ画面の具体例を示す図であり、（ｂ）は、上記携帯電話がプレゼンモードである時に表示部に表示される実行画面の具体例を示す図である。
【図１１】（ａ）は、プレゼンテーションシステムにおける、ある時点でのスクリーンに投影された表示画面の一例を示す図であり、（ｂ）は、（ａ）の状態から、図４に示す操作部の「２」キーが押下された後の表示画面の例を示す図であり、（ｃ）は、（ｂ）の状態から、上記操作部の「４」キーが押下された後の表示画面の例を示す図であり、（ｄ）は、（ｃ）の状態から、上記操作部の「９」キーが押下された後の表示画面の例を示す図である。
【符号の説明】
【０１５４】
１  携帯電話（通信端末装置）
２  ノートパソコン（情報処理装置）
３  プロジェクタ（映像表示装置）
４  スクリーン
５  無線通信網
６  通信径路
７  指示信号対応リスト
８  無線通信アンテナ
９  遠隔操作実行部
１０  無線通信遠隔操作システム（通信システム）
１１  主制御部
１２  操作部（操作入力手段）
１３  メモリ（指示信号格納手段）
１４  無線通信部（無線通信手段）
１５  機能切替部（機能切替手段）
１６  遠隔操作指示信号生成部（第２指示信号生成手段）
１７  各機能実行部（情報処理手段）
１８  表示部（表示手段）
１９  画像処理部
２０  スピーカ
２１  マイク
２２  カメラ部
２３  ＬＥＤ
２４  マウス
２５  キーボード
２６  スライディングパッド
２７  マウスポインタ（シンボル画像）
３０  主制御部
３１  無線通信部（無線通信手段）
３２  操作部
３３  メモリ
３４  表示部
３５  通信部（送信手段）
３６  機能切替部（信号解析手段）
３７  マウスポインタ制御部（第２機能実行手段・表示制御手段）
３８  映像信号出力部
３９  スライド提示処理部（第２機能実行手段・表示制御手段）
４０  各機能実行部
１００  プレゼンテーションシステム（映像表示システム）
【図１】
2006338406.tif 000003
【図２】
2006338406.tif 000004
【図３】
2006338406.tif 000005
【図４】
2006338406.tif 000006
【図５】
2006338406.tif 000007
【図６】
2006338406.tif 000008
【図７】
2006338406.tif 000009
【図８】
2006338406.tif 000010
【図９】
2006338406.tif 000011
【図１０】
2006338406.tif 000012
【図１１】
2006338406.tif 000013